(57)【要約】      （修正有）【課題】大面積の基板を１回の走査で露光するリソグラフィ装置と方法を提供する。【解決手段】照明システムは、個別制御可能の要素のアレイでパターン形成したビームを供給し、ビームをレンズアレイに通して基板の目標部分へ投影し、アレイの各レンズはビームの各部分を基板へ配向し、変位システムは、基板とビームを相対的に変位させ、ビームは所定の走査方向に基板全体で走査される。投影システムを各トラックに沿って各ビームを走査するように位置決めする。各トラックはビーム１本で走査する第一部分と、隣接トラックと重なりビーム２本で走査する第二部分を有する。第一部分への各ビーム部分の最大強度は第二部分へのビーム部分の最大強度より大きいので、第一と第二部分はほぼ同じ最大強度の放射線に露光する。隣接ビームをこのように重ねビーム強度を変調すると異なる光列の光学的フットプリントが継合わされ１回の走査で大面積の基板を露光できる。【選択図】図２
2006133784.tif 000002
【特許請求の範囲】
【請求項１】
リソグラフィ装置であって、
放射線のビームを供給する照明システムと、
ビームにパターンを形成するパターニングシステムとを有し、各パターニングシステムは、個々に制御可能な要素のアレイを有し、さらに、
パターン形成したビームを基板の目標部分に投影する投影システムを有し、パターニングシステムは、レンズのアレイを有し、アレイの各レンズがパターン形成した個々のビームの個々の部分を基板へと配向し、さらに、
基板の全体にわたって所定の走査方向でビームが走査されるように、基板と投影システムの間に相対的変位を引き起こす変位システムを有し、
投影システムは、各ビームが、基板上にある一連の重なるトラックの個々のトラックに沿って走査できるように配置され、各トラックが、
パターン形成したビームのうち１本のみで走査される第一部分と、
隣接トラックをトラックに重ね合わせ、パターン形成したビームのうち２本で走査される少なくとも１つの第二部分とを有するものであるリソグラフィ装置。
【請求項２】
個々のトラックの第一部分に向かって配向されたパターン形成ビームの個々の各ビームの第一部分の最大強度が、そのトラックの第二部分に向かって配向されたそのビームの第二部分の最大強度より大きく、そのトラックの第一および第二部分が、ほぼ同じ最大強度の放射線に露光する、請求項１に記載の装置。
【請求項３】
個々の各パターン形成ビームが個々の光列によって生成され、
光列が、走査方向に対して直角の方向で基板に分布し、
隣接する光列が走査方向にオフセットする、請求項１に記載の装置。
【請求項４】
パターン形成したビームのうち少なくとも２本の重なるビームが、レンズの共通アレイの個々のレンズ列によって基板へと配向され、
列が共通アレイに隣接し、
列が、走査方向に対して傾斜した方向に延在し、
列が、走査方向に対して直角の方向に隔置される、請求項１に記載の装置。
【請求項５】
各投影システムが、
個々のパターン形成ビームが透過する減衰デバイスを有し、
減衰デバイスの少なくとも１つの周囲部分が、個々のパターン形成ビームのある割合を減衰し、
減衰デバイスは、周囲部分を透過した個々のパターンビームが、個々のトラックの個々の第二部分へと投影されるように配置される、請求項１に記載の装置。
【請求項６】
減衰デバイスが、照明システムとパターニングシステムの間で配置される、請求項５に記載の装置。
【請求項７】
減衰デバイスが、パターニングシステムと基板の間に配置される、請求項５に記載の装置。
【請求項８】
個々に制御可能な要素のアレイは、個々のパターン形成ビームの最大、最小、または少なくとも１つの中間強度の成分のうち少なくとも１つを基板へと配向するために個々の要素を制御するように配置される、請求項１に記載の装置。
【請求項９】
さらに、
中間強度の成分を個々のトラックの個々の第二部分へと配向し、最大強度の成分を個々のトラックの個々の第一部分へと配向することによって、個々のトラックの個々の第一部分へと配向したパターン形成ビームの成分と比較して、個々のトラックの個々の第二部分へと配向されたパターン形成ビームの成分の強度を低下させるために、個々に制御可能な要素のアレイにある各要素を制御する制御デバイスを有する、請求項８に記載の装置。
【請求項１０】
パターン形成したビームの一部を個々のトラックの個々の第二部分へと配向するアレイのレンズが、個々のトラックの個々の第一部分へとパターン形成ビームの一部を配向するアレイのレンズより多くのパターン形成ビームを減衰するように配置構成される、請求項１に記載の装置。
【請求項１１】
個々のパターン形成ビームの第二部分の強度が、そのトラックの第一部分に隣接する個々のトラックの個々の第二部分の縁部からそのトラックの第二部分の他方縁へと漸進的に低下する、請求項１に記載の装置。
【請求項１２】
デバイス製造方法であって、
個々に制御可能な要素の個々のアレイで放射線のビームにパターンを形成することと、
パターン形成したビームを基板の目標部分に投影することと、
パターン形成したビームが所定の走査方向にて基板全体で走査されるように、基板とパターン形成ビームとの間に相対的変位を引き起こすことと、
個々の各パターン形成ビームをレンズのアレイに通して基板へと配向することとを含み、アレイの各レンズはパターン形成したビームの個々の部分を配向し、さらに、
個々の各パターン形成ビームで基板上にある一連のトラックを個々に走査することと、
各トラックが、１本のパターン形成ビームのみによって走査される第一部分と、隣接トラックと重なり、２本のパターン形成ビームによって走査される少なくとも１つの第二部分とを有するように、トラックを重ねることとを含む方法。
【請求項１３】
さらに、
各パターン形成ビームの第一部分の最大強度を、１つのトラックの第一部分へと配向することを含み、これはトラックの第二部分へと配向されるビームの第二部分の最大強度より大きく、トラックの第一および第二部分が、ほぼ同じ最大強度の放射線に露光される、請求項１２に記載の方法。
【請求項１４】
さらに、
隣接する光列が走査方向にてオフセットするように、走査方向に対して直角の方向で基板全体に分布する個々の光列を使用してパターン形成ビームを生成することを含む、請求項１２に記載の方法。
【請求項１５】
少なくとも２本の重なったパターン形成ビームが、レンズの共通アレイのうち個々のレンズ列によって基板へと配向され、列は共通アレイ内で隣接し、走査方向に対して傾斜する方向に延在して、走査方向に対して直角の方向で隔置されている、請求項１２に記載の方法。
【請求項１６】
さらに、
各パターン形成ビームを減衰デバイスを通して伝送することを含み、各パターン形成ビームの少なくとも１つの周囲部分は、減衰デバイスの比較的高度に減衰する周囲部分によって強度が低下する、請求項１２に記載の方法。
【請求項１７】
さらに、照明システムとパターニングシステムの間に減衰デバイスを配置することを含む、請求項１６に記載の方法。
【請求項１８】
さらに、パターニングシステムと基板の間に減衰デバイスを配置することを含む、請求項１６に記載の方法
【請求項１９】
パターン形成ステップが、
パターン形成ビームの成分を１つのトラックの第一部分の１つ、またはトラックの第二部分の１つへと配向するために、個々に制御可能な要素のアレイの個々の要素を制御することと、
高くても中間の強度の成分がトラックの第二部分の１つへと配向され、最大強度の成分が、トラックの第一部分の１つへと配向されるように、個々の要素を制御することとを含む、請求項１２に記載の方法。
【請求項２０】
配向ステップが、
パターン形成したビームの部分をトラックの１つの第一部分へと配向するアレイのレンズより、パターン形成したビームの部分を１つのトラックの１つの第二部分へと配向するアレイのレンズの方が、パターン形成ビームを多く減衰することを含む、請求項１２に記載の方法。
【請求項２１】
さらに、
トラックの個々の第一部分に隣接する個々のそのトラックの個々の第二部分の縁部から、トラックの個々の第二部分の他方の縁部に向かって、個々のパターン形成ビームの第二部分の強度を漸進的に低下させることを含む、請求項１２に記載の方法。
【発明の詳細な説明】
【技術分野】
【０００１】
本発明はリソグラフィ装置およびデバイス製造方法に関する。
【背景技術】
【０００２】
リソグラフィ装置は、所望のパターンを基板の目標部分に適用する機械である。リソグラフィ装置は例えば、集積回路（ＩＣ）、フラットパネルディスプレイ、および微細構造を含む他のデバイスの製造において使用可能である。従来のリソグラフィ装置では、代替的にマスクまたはレチクルと呼ばれるパターニング手段は、ＩＣ（または他のデバイス）の個々の層に対応する回路パターンの生成に使用することができ、このパターンを、放射線感光原料（例えばレジスト）の層を有する基板（例えばシリコンウェハまたはガラスプレート）上の目標部分（例えば１つあるいは幾つかのダイの一部を含む）に描像することができる。マスクの代わりに、パターニング手段は個々に制御可能で、回路パターンを生成する要素のアレイを含んでもよい。
【０００３】
一般的に、１枚の基板は、順次照射される近接目標部分のネットワークを含んでいる。既知のリソグラフィ装置は、パターン全体を目標部分に１回露光することによって各目標部分が照射される、いわゆるステッパと、所定の方向（「走査」方向）にパターンをビームで走査し、これと同時に基板をこの方向と平行に、あるいは反平行に走査することにより、各目標部分が照射される、いわゆるスキャナとを含む。
【０００４】
リソグラフィシステムには、１つまたは複数の光列（例えば光路）を有するスキャナを含むものもある。従来のスキャナは、１回の走査で大面積の基板を露光することができない。その１つの理由は、大きい目標部分を露光することができる単体の光列を生成するのが困難なことである。例えば、パネルの各縁に沿って２メートルのオーダの寸法を有するパネル上にフラットパネルディスプレイ（ＦＰＤ）を製造できることが好ましいが、このようなパターンのほぼ全幅にわたって延在する目標部分を露光できる単体の光列を生成することは非常に困難である。
【０００５】
この問題に対応する１つの方法は、各光列が基板上の個々のトラックを走査するように配置された一連の別個の光列を使用して、パネルの全幅を露光することであった。この場合は、隣接するトラックが、パネルの全幅を露光するように突き合わせてある。残念ながら、隣接するトラック間に生じる小さいギャップを回避するか、隣接するトラック間の小さい重なりを回避するために、別個の光列を相互に対して適切な位置で維持することは困難である。このような位置合わせ不良は、製造中のデバイスの機能に影響することがあり、ＦＰＤの場合は、ディスプレイ上に非常に目立つ線が現れることがある。
【発明の開示】
【発明が解決しようとする課題】
【０００６】
したがって、必要とされているのは、大面積の基板を１回の走査で走査するために使用できるリソグラフィシステムおよびその使用方法である。
【課題を解決するための手段】
【０００７】
本発明によると、照明システム、パターニングシステム、投影システムおよび変位システムを有するリソグラフィ装置が提供される。照明システムは放射線のビームを供給する。パターニングシステムはビームにパターンを形成する。投影システムは、パターン形成したビームを基板の目標部分に投影する。変位システムは、ビームが所定の走査方向にて基板上で走査されるように、基板と投影システムの間に相対的変位を引き起こす。各投影システムは、アレイの各レンズが個々のビームの個々の部分を基板に向かって配向するように配置されたレンズのアレイを有する。各パターニングシステムは、所望のパターンを個々のビームに与えるように制御された個々に制御可能な要素のアレイを有する。投影システムは、各ビームが基板上の一連のトラックの個々に沿って走査されるように配置される。トラックは、各トラックが１本のビームのみで走査される第一部分、および隣接トラックと重なり、２本のビームで走査される少なくとも１つの第二部分を有するように重なる。トラックの第一部分に配向される各ビームの第一部分の最大強度は、トラックの第二部分に配向されるビームの第二部分の最大強度より大きく、したがってトラックの第一および第二部分は、ほぼ同じ最大強度の放射線に露光される。
【０００８】
走査される隣接トラック間に重なりを設け、重ならない領域と比較して重なる領域に投影される放射線の強度を調節することにより、個々のトラックの縁部領域における露光強度に大きい段階的変化が生じるのを回避することができる。したがって、異なる光学エンジンによって走査されるトラックは、隣接トラックの相対的位置の間の位置合わせ不良による悪影響を最小限に抑える方法で、相互に継ぎ合わせることができる。
【０００９】
本発明の別の実施形態によると、以下のステップを含むデバイス製造方法が提供される。つまり、放射線のビームにパターンを形成するステップ。パターン形成したビームを、基板テーブル上に支持された基板の目標部分に投影するステップ。基板にわたって所定の走査方向にてビームが走査されるように、基板とビームの間に相対的変位を引き起こすステップ。各ビームは、レンズのアレイを通して基板に向かって配向される。個々に制御可能な要素のアレイによってパターンがビームに与えられるように、アレイの各レンズは、ビームの個々の部分を配向する。各ビームは、基板上にある一連のトラックの個々に沿って走査される。トラックは、各トラックが１本のビームのみで走査される第一部分、および隣接トラックと重なり、２本のビームで走査される少なくとも１つの第二部分を有するように重なる。トラックの第一部分に配向される各ビームの第一部分の最大強度は、トラックの第二部分に配向されるビームの第二部分の最大強度より大きく、したがってトラックの第一および第二部分は、ほぼ同じ最大強度の放射線に露光される。
【００１０】
一例では、各ビームが、走査方向に対して直角方向で基板テーブルにわたって分布した光列のアレイにて、個々の光列によって生成することができる。隣接する光列は、走査方向にずれてよい。あるいは、少なくとも２本の重なるビームを、共通レンズアレイにあるレンズの隣接する列を通して基板に配向することができる。隣接する列は走査方向に対して傾斜した方向に延在し、走査方向に対して直角の方向で隔置される。ビームは、個々に制御可能な要素のアレイを使用してパターン形成される。一例では、ビームに与えられたパターンは、基板の連続的走査中に連続的に更新することができる。
【００１１】
個々のビームの様々な部分の最大強度は、ビームを転送する減衰デバイスを設けることによって決定することができる。例えば、ビームの部分を吸収する吸収デバイスである。この例では、吸収デバイスの少なくとも１つの周囲部分が、ビームの部分を吸収し、その周囲部分を通して転送された放射線が個々のトラックの第二部分に投影されるように配置することができる。様々な例で、吸収デバイスを照明システムとパターニングシステムの間、またはパターニングシステムと基板の間に配置することができる。
【００１２】
一例では、各ビームは、ビームの最小、最大、または少なくとも１つの中間強度成分を送出することができ、個々に制御可能な要素のアレイによってパターン形成される。一例では、制御デバイスを使用して要素を制御し、トラックの第二部分に配向されたビームの成分の強度を削減する。
【００１３】
一例では、各ビームは、アレイの各レンズが個々のビームの個々の部分を基板の個々の区域へと配向するように配置構成されたレンズのアレイを通して基板に送出される。ビームの部分をトラックの第二部分に配向するアレイのレンズは、ビームの部分をトラックの第一部分へと配向するアレイのレンズより多くのビームを吸収するか、例えば部分反射などの他の方法で減衰するように配置構成される。
【００１４】
一例では、ビームの第二部分の強度は、トラックの第一部分に隣接するそのトラックの第二部分の縁部から、トラックの第二部分の他方縁部へと漸進的に低下させることができる。したがって、１本のビームの送出強度は、そのビームが走査する区域の縁部に向かって下方向へとテーパ状になる。
【００１５】
本発明のさらなる実施形態、特徴、および利点、さらに本発明の様々な実施形態の構造および動作について、添付図面に関して以下でさらに詳細に説明する。
【００１６】
本明細書に組み込まれ、その一部を形成する添付図面は、本発明を例示し、説明とともに本発明の原理を説明し、当業者による本発明の作成および使用を可能にする働きをする。
【００１７】
次に、添付図面に関して本発明を説明する。図面では、同様の参照番号は同一または機能的に類似した要素を示す。
【発明を実施するための最良の形態】
【００１８】
概要および用語
本文では集積回路（ＩＣ）の製造におけるリソグラフィ装置の使用に特に言及しているが、本明細書で説明するリソグラフィ装置が他の用途においても使用可能であることは明確に理解されるべきである。例えば、これは、集積光学システム、磁気ドメインメモリ用ガイダンスおよび検出パターン、フラットパネルディスプレイ、薄膜磁気ヘッド等の製造に使用され得る。こうした代替的な用途においては、本文にて使用した「ウェハ」または「ダイ」といった用語は、それぞれ「基板」または「目標部分」といった、より一般的な用語に置き換えて使用され得ることが当業者には理解される。本明細書で言及する基板は、露光前または露光後に、例えばトラック（通常はレジストの層を基板に塗布し、露光したレジストを現像するツール）または計測または検査ツールで処理することができる。適宜、本明細書の開示は、以上およびその他の基板処理ツールに適用することができる。さらに、基板は、例えば多層ＩＣを生成するために、複数回処理することができ、したがって本明細書で使用する基板という用語は、既に複数の処理済み層を含む基板も指す。
【００１９】
本明細書で使用する「個々に制御可能な要素のアレイ」という用語は、基板の目標部分に所望のパターンを生成できるように、入射する放射線ビームにパターン形成した断面を与えるために使用できる任意のデバイスを指すものとして広義に解釈されるべきである。「ライトバルブ」および「空間光変調器」（ＳＬＭ）という用語も、この文脈で使用可能である。このようなパターニングデバイスの例について、以下で検討する。
【００２０】
プログラマブルミラーアレイは、粘弾性制御層および反射性表面を有するマトリクスアドレス可能表面を有することができる。このような装置の基本的原理は、例えば反射性表面のアドレスされた区域は、入射光を回折光として反射し、アドレスされない区域は入射光を非回折光として反射することである。適切な空間フィルタを使用して、非回折光を反射ビームから除去し、回折光のみを基板に到達させることができる。この方法で、ビームはマトリクスアドレス可能表面のアドレスパターンに従ってパターン形成される。
【００２１】
代替法として、フィルタは回折光を除去し、非回折光を基板に到達させることができる。回折性光学超小型電気機械システム（ＭＥＭＳ）デバイスのアレイも、対応する方法で使用することができる。各回折性光学ＭＥＭＳデバイスは、入射光を回折光として反射する格子を形成するために相互に対して変形可能である複数の反射性リボンを含むことができる。
【００２２】
さらなる代替実施形態は、微小ミラーのマトリクス配置構成を使用するプログラマブルミラーアレイを含むことができ、各ミラーは、適切な局所的電界を適用するか、圧電手段を使用することによって軸線の周囲で個々に傾斜させることができる。この場合もミラーはマトリクスアドレス可能であり、したがってアドレスされたミラーは入射放射線ビームを異なる方向でアドレスされていないミラーへと反射し、この方法で反射ビームはマトリクスアドレス可能ミラーのアドレスパターンに従ってパターン形成される。必要なマトリクスアドレス指定は、適切な電子的手段を使用して実施することができる。
【００２３】
上述した両方の状況で、個々に制御可能な要素のアレイは、１つまたは複数のプログラマブルミラーアレイを有してよい。本明細書で言及したミラーアレイに関するさらなる情報は、例えば米国特許第５，２９６，８９１号および第５，５２３，１９３号、およびＰＣＴ特許出願第ＷＯ９８／３８５９７号および第ＷＯ９８／３３０９６号で見ることができ、これらは参照により全体が本明細書に組み込まれる。
【００２４】
プログラマブルＬＣＤアレイも使用することができる。このような構造の一例が米国特許第５，２２９，８７２号で与えられ、これは参照により全体が本明細書に組み込まれる。
【００２５】
例えばフィーチャー(features)の事前バイアス付与、光学近接補正フィーチャー、位相変動技術および多重露光技術を使用する場合、個々に制御可能な要素のアレイ上に「表示」されるパターンは、最終的に基板上または基板の層に伝達されるパターンとは非常に異なる可能性があることを理解されたい。同様に、最終的に基板上に生成されるパターンは、個々に制御可能な要素のアレイ上に任意の瞬間に形成されるパターンには対応しないことがある。これは、基板の各部分に形成される最終的パターンが、所与の期間にわたって、または個々に制御可能な要素のアレイ上のパターンおよび／または基板の相対的位置が変化する所与の露光回数にわたって蓄積する配置構成である場合であり得る。
【００２６】
本文ではＩＣの製造におけるリソグラフィ装置の使用に特に言及しているが、本明細書で説明するリソグラフィ装置が他の用途においても使用可能であることは明確に理解されるべきである。例えば、これは、ＤＮＡチップ、ＭＥＭＳ、ＭＯＥＭＳ、集積光学システム、磁気ドメインメモリ用ガイダンスおよび検出パターン、フラットパネルディスプレイ、薄膜磁気ヘッド等の製造に使用され得る。こうした代替的な用途においては、本文にて使用した「ウェハ」または「ダイ」といった用語は、それぞれ「基板」または「目標部分」といった、より一般的な用語に置き換えて使用され得ることが当業者には理解される。本明細書で言及する基板は、露光前または露光後に、例えばトラック（通常はレジストの層を基板に塗布し、露光したレジストを現像するツール）または計測または検査ツールで処理することができる。適宜、本明細書の開示は、以上およびその他の基板処理ツールに適用することができる。さらに、基板は、例えば多層ＩＣを生成するために、複数回処理することができ、したがって本明細書で使用する基板という用語は、既に複数の処理済み層を含む基板も指す。
【００２７】
本明細書では、「放射線」および「ビーム」という用語は、イオンビームあるいは電子ビームといったような粒子ビームのみならず、紫外線（ＵＶ）放射線（例えば、３６５ｎｍ、２４８ｎｍ、１９３ｎｍ、１５７ｎｍ、あるいは１２６ｎｍの波長を有する）および超紫外線（ＥＵＶ）放射線（例えば、５ｎｍ〜２０ｎｍの範囲の波長を有する）を含むあらゆるタイプの電磁放射線を網羅するものとして使用される。
【００２８】
本明細書において使用する「投影システム」なる用語は、例えば使用する露光放射線、または浸漬流体の使用や真空の使用などの他の要因に合わせて適宜、例えば屈折光学システム、反射光学システム、および反射屈折光学システムを含むさまざまなタイプの投影システムを網羅するものとして広義に解釈されるべきである。本明細書において「レンズ」なる用語を使用した場合、これはさらに一般的な「投影システム」なる用語と同義と見なされる。
【００２９】
照明システムは、放射線の投影ビームの誘導、成形、あるいは制御を行う屈折、反射、および反射屈折光学構成要素などの様々なタイプの光学構成要素も含むことができ、こうした構成要素もまた以降において集約的に、あるいは単独的に「レンズ」と称する。
【００３０】
リソグラフィ装置は２つ（デュアルステージ）あるいはそれ以上の基板テーブル（および／または２つもしくはそれ以上のマスクテーブル）を有するタイプのものである。このような「多段」機械においては、追加のテーブルが並列して使用される。もしくは、１つ以上の他のテーブルが露光に使用されている間に予備工程が１つ以上のテーブルにて実行される。
【００３１】
リソグラフィ装置は、投影システムの最終要素と基板との間の空間を充填するよう、基板を水などの比較的高い屈折率を有する液体に浸漬するタイプでもよい。浸漬液は、例えばマスクと投影システムの第一要素との間など、リソグラフィ装置の他の空間に適用してもよい。浸漬技術は、投影システムの開口数を増加させるため、当技術分野で周知である。
【００３２】
さらに、装置には、（例えば化学物質を基板に付着させるか、基板の表面構造を選択的に改造するために）流体と基板の照射部分の間の相互作用を可能にする流体処理セルを設けることができる。
【００３３】
リソグラフィ投影装置
図１は、本発明の実施形態によるリソグラフィ投影装置１００を概略的に示したものである。装置１００は少なくとも放射線システム１０２、個々に制御可能な要素１０４のアレイ、オブジェクトテーブル１０６（例えば基板テーブル）および投影システム（「レンズ」）１０８を含む。
【００３４】
放射線システム１０２は、放射線（例えばＵＶ放射線）のビーム１１０を提供するために使用することができ、この特定の場合は放射線ソース１１２も有する。
【００３５】
個々に制御可能な要素１０４のアレイ（例えばプログラマブルミラーアレイ）は、ビーム１１０にパターンを適用するために使用することができる。概して、個々に制御可能な要素１０４のアレイの位置を投影システム１０８に対して固定することができる。しかし、代替配置構成では、個々に制御可能な要素１０４のアレイは、投影システム１０８に対して正確に配置されるために位置決めデバイス（図示せず）に接続することができる。本明細書で示すように、個々に制御可能な要素１０４は反射タイプである（例えば個々に制御可能な要素の反射性アレイを有する）。
【００３６】
オブジェクトテーブル１０６には、基板１１４（例えばレジスト塗布したシリコンウェハまたはガラス基板）を保持する基板ホルダ（特には図示せず）を設けることができ、オブジェクトテーブル１０６は、基板１１４を投影システム１０８に対して正確に配置するために、位置決めデバイス１１６に接続することができる。
【００３７】
投影システム１０８（例えばクォーツおよび／またはＣａＦ2レンズシステムまたはこのような材料から作成したレンズ要素を有する反射屈折システム、またはミラーシステム）は、ビーム分割器１１８から受け取ったパターン形成ビームを基板１１４の目標部分１２０（例えば１つまたは複数のダイ）に投影するために使用可能である。投影システム１０８は、個々に制御可能な要素１０４のアレイの像を基板１１４に投影することができる。あるいは、投影システム１０８は、二次ソースの像を投影することができ、これに対して個々に制御可能な要素１０４のアレイにある要素がシャッタとして作用する。投影システム１０８は、二次ソースを形成し、基板１１４上に微小スポットを投影するマイクロレンズアレイ（ＭＬＡ）も有してよい。
【００３８】
ソース１１２（例えばエキシマレーザ）は放射線ビーム１２２を生成することができる。ビーム１２２は、直接的に、または例えばビーム拡大器などの調整デバイス１２６を通り越した後、照明システム（照明装置）１２４へと供給される。照明装置１２４は、ビーム１２２の強度分布の外部および／あるいは内部放射範囲（一般的にそれぞれ、σ−ｏｕｔｅｒおよびσ−ｉｎｎｅｒと呼ばれる）を設定する調節デバイス１２８を有してよい。また、照明装置１２４は一般的に、積分器１３０およびコンデンサ１３２のような他の構成要素を含む。この方法で、個々に制御可能な要素１０４のアレイに当たるビーム１１０は、その断面に亘り所望する均一性と強度分布とを有する。
【００３９】
図１に関して、ソース１１２は（ソース１１２が例えば水銀灯である場合によくあるように）リソグラフィ投影装置１００のハウジング内にあってよいことを留意されたい。代替実施形態では、ソース１１２はリソグラフィ投影装置１００から離れてもよい。この場合、放射線ビーム１２２は（例えば適切な配向ミラーの助けにより）装置１００へと配向される。この後者のシナリオは、ソース１１２がエキシマレーザである場合に多い。このシナリオは両方とも本発明の範囲内と想定されることを理解されたい。
【００４０】
ビーム１１０はその後、ビーム分割器１１８を使用して配向された後、個々に制御可能な要素１０４のアレイと交差する。ビーム１１０は、個々に制御可能な要素１０４のアレイで反射した後、投影システム１０８を通過し、これはビーム１１０を基板１１４の目標部分１２０に集束させる。
【００４１】
位置決めデバイス１１６（および任意選択でビーム分割器１４０を介して干渉ビーム１３８を受け取るベースプレート１３６上の干渉測定デバイス１３４）の助けにより、オブジェクトテーブル１０６は、ビーム１１０の経路における異なる目標部分１２０に位置を合わせるために正確に運動可能である。個々に制御可能な要素１０４のアレイに位置決めデバイスを使用する場合、これは、例えば走査中にビーム１１０の経路に対して個々に制御可能な要素１０４のアレイの位置を正確に補正するために使用可能である。一般的に、オブジェクトテーブル１０６の運動は、図１には明示的に図示されていないロングストロークモジュール（粗動位置決め）およびショートストロークモジュール（微動位置決め）の助けで実現される。同様のシステムは、個々に制御可能な要素１０４のアレイの位置決めにも使用することができる。ビーム１１０は、オブジェクトテーブル１０６および／または個々に制御可能な要素１０４のアレイが必要な相対的運動を提供するために固定位置を有する一方、代替的／追加的に運動可能にできることが理解される。
【００４２】
実施形態の代替構成では、基板１１４が基板テーブル１０６上で運動可能である状態で、基板テーブル１０６を固定することができる。その場合、基板テーブル１０６には平坦な最上面に複数の開口を設け、開口を通して気体を供給し、基板１１４を支持できる気体クッションを提供する。これは従来、空気支承構成と呼ばれている。基板１１４は、ビーム１１０の経路に対して基板１１４を正確に位置決めできる１つまたは複数のアクチュエータ（図示せず）を使用して、基板テーブル１０６上で動作する。あるいは、開口を通る気体の通過を選択的に開始および停止することによって、基板１１４を基板テーブル１０６上で運動させることができる。
【００４３】
本発明によるリソグラフィ装置１００は、本明細書では、基板上のレジストを露光するためのものとして説明してきたが、本発明は、この使用法に制限されず、装置１００はレジストなしのリソグラフィに使用するパターン形成ビーム１１０の投影に使用できることが理解される。
【００４４】
ここに表した装置１００は４つの好ましいモードにて使用可能である。
１．ステップモードにおいては、個々に制御可能な要素１０４のアレイ上の全パターンを、１回の作動（すなわち１回の「フラッシュ」）で目標部分１２０に投影する。次に基板テーブル１０６がｘ方向および／あるいはｙ方向で異なる位置へと移動し、異なる目標部分１２０がパターン形成ビーム１１０によって照射される。
２．走査モードにおいては、基本的にステップモードと同じであるが、１回の「フラッシュ」で所与の目標部分１２０が露光されない。代わりに、個々に制御可能な要素１０４のアレイは速度ｖで所与の方向（ｙ方向などのいわゆる「走査方向」）に移動可能であり、したがってパターン形成ビーム１１０が個々に制御可能な要素１０４のアレイを走査する。それと同時に基板テーブル１０６が速度Ｖ＝Ｍｖで同じ方向または反対方向に動作する。ここでＭは投影システム１０８の倍率である。この方法で、解像度を妥協することなく、比較的大きい目標部分１２０を露光することができる。
３．パルスモードにおいては、個々に制御可能な要素１０４のアレイが基本的に静止状態に維持され、パルス状放射線システム１０２を使用して全パターンを基板１１４の目標部分１２０に投影する。基板テーブル１０６は基本的に一定の速度で移動し、したがってパターン形成したビーム１１０は基板１０６にまたがる線を走査する。個々に制御可能な要素１０４のアレイ上のパターンは、要求に応じて放射線システム１０２のパルス間で更新され、基板１１４上の必要な位置で連続する目標部分１２０が露光するようにパルスのタイミングをとる。その結果、パターン形成したビーム１１０は基板１１４全体を走査して、基板１１４の細片ごとに完全なパターンを露光することができる。線ごとに基板１１４全体を露光するまで、このプロセスを繰り返す。
４．連続的走査モードにおいては、基本的にパルスモードと同じであるが、ほぼ一定の放射線システム１０２を使用し、パターン形成したビーム１１０が基板１１４を走査し、それを露光するにつれて、個々に制御可能な要素１０４のアレイ上のパターンを更新する。
【００４５】
上述した使用モードの組合せおよび／または変形、または全く異なる使用モードも使用することができる。
【００４６】
例示的投影システム
図２は、本発明の１つの実施形態によるマイクロレンズアレイを含む光学投影システムを示す。図２に示す装置は、要素２の２次元アレイを支持する下面を有するコントラストデバイス１を有する。要素２のアレイにある各要素の角度位置は選択的に制御することができる。ビーム分割器３をコントラストデバイス１の下に位置決めする。照明ソース４が放射線ビーム５をビーム分割器３へと配向する。放射線ビーム５は、コントラストデバイス１の下面へと反射する。コントラストデバイス１の要素の１つは、ビーム５の成分部分を反射し、ビーム分割器３およびレンズ６、７および８によって画定された投影光学系を通して戻すように図示されている。この例では、最下レンズ８が視野レンズであり、これはマイクロレンズアレイ９へと配向されるほぼテレセントリック系のビームを生成する。一例では、マイクロレンズアレイ９は小型レンズの２次元アレイを有する。各レンズは、自身に入射した光を基板１０の上面へと集束するように配置構成される。
【００４７】
この例では、光をマイクロレンズアレイ９へと反射するミラーとして作用するコントラストデバイス１の要素２ごとに、マイクロレンズアレイ９にある個々のレンズが照明される。光の個々のスポットは、マイクロレンズアレイ９の照明されたレンズによって基板１０の上面へと投影される。この配置構成では、コントラストデバイス１が基板１０上に描像されるが、他の配置構成も可能であることを理解されたい。例えば、投影システム６、７、８の瞳を基板１０に描像することができる。
【００４８】
図３は、本発明の１つの実施形態により変位可能な基板テーブルを含む請求項２の光学投影システムを示す。図３では、マイクロレンズアレイ９の下で基板テーブル１１に支持された基板１０が図示されている。投影光学系は長方形１２で表される。図２のコントラストデバイス１の３つのコントラスト要素２が、投影光学系１２の上に図示されている。図示の配置構成では、基板テーブル１１がマイクロレンズアレイ９の下で矢印１３の方向に直線上に移動する。
【００４９】
図４は、本発明の１つの実施形態により図３で示したシステムの基板上に投影される光のスポットの配向(orientation)の略図である。図４は、図２および図３のマイクロレンズアレイ９にある個々のレンズの位置間の関係、および図３の基板テーブル１１の変位方向を示す。変位方向は、図４では矢印１３で表す。この方向は線１４に平行であり、これはマイクロレンズアレイ９のレンズの列に平行に延在するさらなる線１５に対して傾斜する。隣接列のレンズは、レンズ１５に対して直角に延在する列を画定するために位置合わせされる。各レンズは、長方形のアレイ状のスポットのうち異なるスポットに光を投影し、その１つを数字１６で識別する。レンズは長方形の２次元アレイで配置構成され、これは基板テーブルの運動の方向１３に対してわずかに傾斜し、したがってコントラストデバイス１の個々の要素によって個々のレンズに送出される照明ビーム５を適切に制御することによって、基板１０の表面全体を露光することができる。
【００５０】
一例では、各レンズが実際に基板１０の表面に連続線を「書く」ことができる。これらの線は、重なるほど相互に対して十分に近い。
【００５１】
一例では、基板１０の選択された２次元区域を露光するために、基板１０をマイクロレンズアレイ９の下で前進させ、任意の時に露光すべき区域が位置決めされる場所の上にある個々のレンズが、コントラストデバイス１の関連する要素を適切に制御することによって照明される。
【００５２】
光列を含む例示的投影システム
図５は、本発明の１つの実施形態による光列のアレイの配置構成の略図である。この例では、装置は連続的操作モードで動作する。基板１７は基板テーブル１８上に位置決めされ、矢印１９の方向にて基板テーブル１８上で変位可能である。基板テーブル１８上ではブリッジ２０が位置決めされ、これは例えば６つの光列２１を支持し、これはそれぞれ、円で示した空間を占有して、長方形２２で表したフットプリントを有するビームを送出する構成要素を組み込む。
【００５３】
この例では、基板１７が矢印１９の方向にて基板テーブル１８上を前進するにつれ、各光学的フットプリント２２が基板１７上で走査される。各光列２１は、基板１７の表面上にある個々のトラックを露光するために使用可能である。トラックは、矢印１９で示す方向に平行に延在し、矢印１９に対して直角の方向では光学的フットプリント２２の寸法に対応する幅を有する。
【００５４】
この例では、図５で示す６つの光列２１は、矢印１９で示す方向に対して直角な２本の行で配置構成される。６つの光列２１は、矢印１９で示す方向に対して直角の方向に分布するが、矢印１９に対して直角の方向で隣接する光列は、矢印１９の方向にオフセットもする。この例では、これは通常、各光列２１を構成する機器が、例えば長方形２２で表すような光学フットプリントの面積より大きいフットプリントを占有しなければならないので必要である。したがって、図５で示す６つの光列２１が、矢印１９に対して直角に延在する基板１７上の線を露光すべき場合、この線のうち最初の３つの区間は、基板１７がブリッジ２０に対して第一位置にある場合に、左端行の３つの光列２１[のうち左端行]で露光され、その線の他の３つの部分は、基板１７がさらに変位した後、光列２１の右端行で露光される。
【００５５】
図６は、本発明の１つの実施形態により図５の光列で走査されるトラック２３の基板に対する位置を概略的に示す。図６は、基板テーブル１８上に配置された基板１７上の図５の光列２１によって露光可能なトラック２３を表す。各トラック２３は、破線で表した境界を有する。
【００５６】
図７は、本発明の１つの実施形態により、図６で示すトラック２３の１つと２つの隣接トラック２３との重なりを概略的に示す。中心トラック２３は、線２４および２５で示した縁部の間に延在する。隣接トラック２３は、一方側が線２６で示す位置まで、他方側は線２７で示す位置まで延在する。一方側は影区域２８で、他方側は影区域２９で示した隣接トラック２３が重なる領域がある。
【００５７】
一例では、線２４と線２５の間にある区域の露光を担当するビームの強度は、重なる区域２８および２９を除いて均一である。同様に、隣接トラック２３は、区域２８および２９を除いて均一の強度である。
【００５８】
一例では、区域２８に到達する放射線の全体的強度が、重なり区域２８と２９の間の区域に到達する放射線の強度とほぼ同じであるように、区域２８の露光に寄与する２本のビームの強度を変調する。例えば、図示された３つのトラック２３全部が、ある特定の瞬間に全く同じ強度の照明を受けるように意図されている場合、重なり区域２８および２９を含む全ての区域は、ほぼ同じ放射線強度を受け取る。
【００５９】
この実施形態において、図５に示したように矢印１９の方向に光列２１のオフセットが存在すると仮定すると、基板１７がその光列２１の下で走査されるにつれ、各トラック２３の中心区域が１つの光列２１によって露光され、区域２８および２９は２つの連続的段階で露光される。基板１７の関連部分として実行される第一露光ステップは、図５で示す光列２１の左手行のうち１つの下を通過して行われる。基板１７のその同じ区域で実行される第二ステップは、図５で示す光列２１の右手行の下を通過して行われる。
【００６０】
例示的強度特徴およびその生成システム
図８Ａ、図８Ｂおよび図８Ｃは、本発明の様々な実施形態により、２本のトラック２３間で重なる領域の幅にわたって強度の連続的変化が存在する場合に、隣接トラック２３の重なる領域におけるビームの強度を概略的に示す。例えば、これらのグラフは図７で示し、重なり２８および２９の区域を含む３つのトラック２３に送出されるビームの強度を表す。
【００６１】
図８Ａのグラフは、図７の中心で示したトラック２３に送出される１本のビームの強度を、そのビームによって送出され、必要とされるパターンが均一の１００％の強度であると仮定して示す。強度は、各領域２８および２９にわたって１００％からゼロへとテーパ状になることが分かる。言うまでもなく、ビームが、ゼロ強度のパターン区域および１００％強度のパターン区域を含むようにパターン形成されると、図８Ａのグラフで示す全体的パターンは、図示のように均一にならないが、本発明を説明する目的で、下にある基板に必要な露光では均一性があると仮定する。
【００６２】
図８Ｂのグラフは、図７で示した２つの重なる区域２８および２９を露光する２本のビームによって送出されるビームの強度を示す。これらのビームもそれぞれ、領域２８、２９の一方の先端における１００％から他方の先端におけるゼロ強度までのテーパ状態を有する。
【００６３】
図８Ｃのグラフは、図７で示す３つのトラック２３に寄与する３本のビームによって送出される強度の合計を示す。強度は領域２８および２９にわたって一定である。図７の中心トラック２３の露光に寄与する３本のビームに多少の位置合わせ不良、例えば１０％の位置合わせ不良があった場合、全体的な強度分布は多少変動するが、せいぜい名目１００％強度値の±１０％である。したがって、露光トラック２３間の位置合わせ不良の重大性は大幅に低下する。
【００６４】
図９は、本発明の１つの実施形態により、２つのトラック２３間の重なる領域にわたる強度の代替階段状変動を示す。したがって、図９は、図８で示したものの代替強度分布を示す。図８で示すように任意の特定トラック２３の縁部に向かって強度を連続的に下降させてテーパ状にするのではなく、強度を階段状に低下させることができる。図９で示すケースでは、個々の段がそれぞれ、全体的な名目１００％強度の２０％を表す。位置合わせ不良がこれらの５段階のうち１つの幅以内であったと仮定すると、全体的な強度線量は名目値から±２０％を超えて発散しない。
【００６５】
図１０は、本発明の１つの実施形態により、図８または図９で示した強度の変動を生成することができる吸収デバイス３０、３１、３２または３３の代替位置を概略的に示す。一例では、減衰デバイスは吸収性ガラスプレートでよく、したがって投影されたビームは、図８で示したものと同様の強度分布を有する。
【００６６】
一例では、吸収性デバイスは、透明な中心区間および表面処理した２つの縁部区間がある単純なガラスプレートでよく、したがって、プレートを透過しているビームの強度は、プレートの２つの対向する縁部に向かって漸進的に低下する。
【００６７】
代替物は、部分的に反射性の縁部があるガラスプレートである。
【００６８】
上記の例のいずれでも、吸収デバイスを、構成要素３０で示すようにソース４とビーム分割器３の間、デバイス３１で示すようにビーム分割器３と制御可能なコントラストデバイス２の間、デバイス３２で示すようにビーム分割器３の１つの表面上、または視野レンズ８とマイクロレンズアレイ９の間に配置されたデバイス３３が示すように、光列中の他の適切な位置に位置決めすることができる。いずれのケースでも、デバイス３０、３１、３２または３３は、走査方向に平行に延在するビームの縁部に沿ってビームの部分の相対的強度を低下させる目的を果たす。
【００６９】
制御可能な要素のアレイにある要素の例示的動作
図１１および図１２は、本発明の実施形態により、制御可能な反射性要素を使用して、ビームの一部分の強度を調節する方法を概略的に示す。一例では、ミラーのアレイを使用して、最大強度（例えば「白」）、最小強度（例えば「黒」）、および中間強度（例えば「グレー」）を送出することができる。最大強度は、コントラストデバイス１の面に平行に延在するように個々のミラー２（アレイ２で示す）を位置決めすることによって、コントラストデバイス１によりマイクロレンズアレイ９の１つのレンズ３４に送出される。ミラー２をこのように配置した状態で、曲線３５によって表されるミラー２が反射した光の強度分布は、開口プレート３６の開口を中心とする。開口を通過するビームは、線３７で示す中心軸線を有し、光の小さいビームを形成するように線３８で示すレンズによって集束され、これは基板１０上のレンズ３４によって集束される。レンズ３４が送出するビームは、３９で示す軸線で対称である。線３５が示す強度分布が、開口プレート３６にある開口の中心で対称であるならば、ミラー２が反射する光の大部分（例えば「白い」）が基板１０に到達し、これは最大強度に対応する。
【００７０】
ほぼ全ての反射光が開口プレート３６の開口に到達しないようにミラー２を回転すると、レンズ３４に到達する光がほぼなく（例えば「黒」）、その結果、基板１０の最小強度の露光になる。しかし、ミラー２を比較的小さい角度だけ回転すると、反射ビームが開口プレート３６の開口に対して変位するが、反射光の一部が開口を通過する。
【００７１】
これらの状況が図１２に図示され、ここでは強度分布３５が開口の中心に対してオフセットするが、部分的にその開口に重なることが分かる。したがって、一部の光がレンズ３４に到達するが、基板１０に送出される光の強度は、図１１で示したケースと比較すると低下している。
【００７２】
本発明の実施形態によると、光は、マイクロレンズアレイ９の縁部に隣接して配置されたレンズを有するマイクロレンズアレイ９のレンズの行に送出される。走査方向に平行に延在するレンズが、コントラストデバイス１からグレー強度のビームを受け取り、したがって重なる光列間の強度関係を達成することができる。
【００７３】
図１１および図１２は、基板１０上のピクセルごとに１つのミラー２がある投影システムを示す。このような配置構成では、解像度はコントラストデバイス１のグレー値の関数として変動し、これはミラー２の傾斜である。
【００７４】
代替配置構成では、例えば幾つかのミラー２のクラスタによって回折格子が形成される。このような配置構成では、解像度はグレー値に依存しない。
【００７５】
図１３は、本発明の１つの実施形態により、それぞれが基板上の重なるトラックを露光するように位置決めされたマイクロレンズアレイを組み込んだ３つの光列の配置構成（例えば光学的フットプリント）を概略的に示す。３つの光列の光学的フットプリントは、重なるこれらの列の光学的フットプリントの部分のグレーレベル照明を使用する。図１３では、走査方向を矢印４０で示す。第一光列は、長方形４１で示す光学的フットプリントを有する。その光学的フットプリントは、露光すべき基板の区域の縁部まで延在し、その縁部は線４２で示される。光学的フットプリント４１は、線４３と４４の間に画定された領域とも重なり、その領域は、隣接する光列の長方形４５で示す光学的フットプリントの右手側とも重なる。光学的フットプリント４５は、線４６および４７で境界を区切られた領域と重なり、これは長方形４８で示す光列の右手側とも重なる。
【００７６】
長方形４１で示すマイクロレンズアレイの左手側は、「グレー」レベルの強度を送出するように位置決めされたミラー２（例えば図１１および図１２参照）から光を受け取る一連のレンズの行を構成する。光学的フットプリント４１の右手側は、全強度の放射線を受け取る。隣接する光列との重なりがないからである。しかし、隣接する光列との重なりがある全てのケースにおいては、光学的フットプリントの重なる部分に送出される放射線のビームの強度を低下させる。
【００７７】
図１４は、隣接する光列の一部を形成し、部分的に図１３で示した方法で重なる２つのマイクロレンズアレイの縁部分を概略的に示す。つまり、図１４は、基板上の重なるトラックを露光するように配置構成された２つのマイクロレンズアレイに個々のレンズを配置することを概略的に示す。図１３では、ミラーアレイを適切に制御することによって、重なる部分が受け取る放射線の強度を低下させる。しかし、図１４で示すケースでは、光学的フットプリントの重なる部分に寄与するレンズが、入射放射線のある割合を吸収するか、他の方法で変化させるように処理される。したがって、例えば図８で示すように、隣接する光学的フットプリント間で重なる領域にわたり、ほぼ一定の照明レベルを維持することができる。
【００７８】
一例では、円５０で示すレンズの行および列を組み込んだ第一マイクロレンズアレイ４９の１つの隅部が図示されている。これらのレンズはそれぞれ、下にある基板上のスポットを露光する。そのスポットの位置を、小さい円５１で示す。マイクロレンズアレイ４９は静止状態であるが、下にある基板に対して矢印５２の方向に移動する。これは、マイクロレンズアレイ４９の下にある基板の変位に基づく。したがって、マイクロレンズアレイ４９は、図１３で示すマイクロレンズアレイ４５の１つの隅部として表すことができる。
【００７９】
一例では、隣接する光列のマイクロレンズアレイ５３の隅部である。マイクロレンズアレイ５３は、図１３で示す光学的フットプリント４１の左手上隅部に対応する。この場合も、個々のレンズを円５０で、個々の照明スポットを円５１で示す。
【００８０】
マイクロレンズアレイ４９の最上行かつ最右列にあるレンズ５４は、走査方向５２に平行に延在する２本の線間のスペース５５として示されたトラックを照明する。次の行の隣接レンズがスペース５７を照明し、次の行の隣接レンズ５８がトラック５９を照明する。これらのトラックはわずかに重なり、したがって３つのレンズ５４、５６および５８が全て、同じ強度の放射線ビームを受け取り、その結果、トラック５５、５７および５９と重なる区域の露光がほぼ均一になる。
【００８１】
レンズ５４、５６および５８は、走査方向でマイクロレンズアレイ５３のレンズ６０、６１および６２と位置合わせされる。したがって、これらのレンズ６０、６１および６２はそれぞれ、トラック５５、５７および５９の個々のトラックを照明することができる。例えば、完全に位置合わせされ、図１４の２つのマイクロレンズアレイで示した６つのレンズ５４、５６、５８、６０、６１および６２がそれぞれ、１００％の放射線ビームを送出するアレイの他の全レンズと比較して、５０％の放射線ビームを送出する場合、２つのマイクロレンズアレイによって露光される全トラックは、均一な１００％の露光となる。
【００８２】
一例では、各マイクロレンズアレイは６４行のレンズを有し、重なる６４のトラックの露光を可能にする。行の各レンズには、受け取った全放射線の一部が吸収されるように表面処理を施す。例えば、レンズ６０は、入射ビームの１／６４を吸収し、レンズ６１は２／６４を、レンズ６２は３／６４を、および以下同様に吸収するように製造することができ、レンズ５４は６３／６４を、レンズ５６は６２／６４を、レンズ５８は６１／６４を、および以下同様に吸収するように配置構成される。したがって、この例では、２つのマイクロレンズアレイが横断するトラックがほぼ完全に位置合わせされている場合、各トラックが入射ビームのちょうど６４／６４を送出することになる。マイクロレンズアレイが、例えば１トラックの幅だけ位置合わせ不良である場合、重なる区域が１トラックだけ減少する結果、任意の２つの光列間の境界線をまたぐ最大強度の変動が、重なる区域にわたって所望の強度を１／６４低下させる。
【００８３】
図１４で示す実施形態の一例では、各マイクロレンズアレイにある１列のみを処理して、入射ビームのある割合を吸収させるように仮定することができる。走査方向５２に対する列の傾斜角度、およびレンズ５０のピッチは、各列が６４のトラックを露光できるようなものであり、それぞれの幅がレンズのピッチの１／６４であることも仮定する。
【００８４】
この例は説明の目的でのみ与えられ、代替的に光列の周囲に隣接する有意の数のレンズ列を、例えば放射線吸収材料の層などで処理し、下にある基板に適切な放射線強度を送出することも理解される。
【００８５】
例えば図１１および図１２で示すような配置構成の一例では、各ミラーは、例えば１６平方マイクロメートルのオーダであり、各ミラーがマイクロレンズアレイにあるレンズアレイの個々のアレイを照明する。各レンズは、基板にて１．２５マイクロメートル直径のスポットを送出することができる。各マイクロレンズアレイは、例えば２００行のレンズを収容するマイクロレンズアレイの（例えば走査方向での）深さを有する例えば５００のレンズの行（例えば走査方向に対して横方向）を有することができる。この例では、２００のレンズの各列が、２５０マイクロメートル幅９のトラック（２００×１．２５マイクロメートル）を露光することができる。
【００８６】
様々な実施形態および／または上記の例のうち１つまたは複数の説明において、各「ビーム」は、レンズのアレイを含む個々の光列によって生成され、そのアレイのレンズは全て、１本のビームの複数の部分を基板に向かって配向するものと仮定する。上記の実施形態および／または例のうち１つまたは複数は、２つの隣接する光列の光学的フットプリントの重なる部分に当てはまる。しかし、１つの光列のレンズのアレイ内で、レンズの隣接する列間に発生し得る描像エラーを減少できる他の例もある。この例では、各「ビーム」は、１つの光列内でレンズの１つのアレイにあるレンズの個々の列を使用して生成する。本発明のこの追加的な用途について、図１５および図１６に関してさらに説明する。
【００８７】
図１５は、本発明の１つの実施形態により異なる光列によって生成された重なるトラックの図である。この実施形態は、図１３および図１４で示した実施形態と最も類似しているが、それぞれが４列のレンズｃ１、ｃ２、ｃ３およびｃ４で構成されたレンズ６３、６４を含み、各列が１０行のレンズｒ１からｒ１０を画定するように配置構成された２つの光列を組み込む。走査方向が矢印６５で示され、したがってアレイ６３のレンズの列は線６６間に画定された区域に寄与し、アレイ６４のレンズの列は、線６７間に画定された区域に寄与する。したがって、アレイ６３の右手列の最初の４行（列ｃ４、行ｒ１からｒ４）にあるレンズと、アレイ６４の左手列の最後の４行（列ｃ１、行ｒ７からｒ１０）にあるレンズとの間に重なる区域がある。レンズの２アレイの照明の最大強度を、線６８および６９で示す。したがって、２つの光列の光学フットプリント間の「シーム(seam)」にて、均一な最大強度が達成される。
【００８８】
図１６は、本発明の１つの実施形態により、レンズのアレイにあるレンズの隣接列によって生成された重なるトラックの図である。これは、図１５で示す実施形態のように隣接するレンズアレイ間ではなく、１つのレンズアレイにある異なるレンズ列間に重なる「シーム」を設けることを示す。１つのレンズアレイ７０を図１６で示し、このアレイは、１３の行ｒ１からｒ１３で配置構成された４列のレンズｃ１からｃ４を有する。
【００８９】
図１６で示す実施形態では、走査方向を矢印７１で示す。したがって、例えば線７２と７３の間に配置されたゾーンなどで隣接する列の重なりがあることが分かる。重なり合う各列内で、最大強度を線７４で示す。列ｃ１、ｃ２およびｃ３の行ｒ１からｒ３、および列ｃ２、ｃ３およびｃ４の行ｒ１０からｒ１３は、最大強度が低下している。その結果、照明された光列が走査した基板上のトラックの全幅にわたる最大強度は、ほぼ一定である。レンズの隣接列に送出されたパターン形成ビームを異なる「ビーム」と見なすことにより、隣接するビームが走査されるトラックが重なり合い、ビームの重なる部分と重ならない部分との最大強度は、基板上の全目標表面が、ほぼ同じ最大強度の放射線に露光されるような強度であることが分かる。
【００９０】
結論
以上、本発明の様々な実施形態を説明してきたが、これは例示によってのみ提示されたもので、制限ではないことを理解されたい。本発明の精神および範囲から逸脱せずに、形態および細部を様々に変更できることが当業者には明白である。したがって、本発明の幅および範囲は、上述した例示的実施形態のいずれにも制限されず、請求の範囲およびその等価物によってのみ定義されるものとする。
【図面の簡単な説明】
【００９１】
【図１】本発明の１つの実施形態によるリソグラフィ装置を示したものである。
【図２】本発明の１つの実施形態によるマイクロレンズアレイを含む光学投影システムを示したものである。
【図３】本発明の１つの実施形態により変位可能な基板テーブルを含む請求項２の光学投影システムを示したものである。
【図４】本発明の１つの実施形態により図３で示したシステムの基板上に投影する光のスポットの方位の略図である。
【図５】本発明の１つの実施形態による光列のアレイの配置構成の略図である。
【図６】本発明の１つの実施形態により、図５の光列によって走査されるトラックの基板に対する位置を概略的に示したものである。
【図７】本発明の１つの実施形態により、図６で示したトラックのうち１つと２つの隣接トラックとの重なりを概略的に示したものである。
【図８】図８Ａ、図８Ｂおよび図８Ｃは、本発明の様々な実施形態により、２つのトラック間で重なる領域の幅にわたって強度の連続的変動が存在する場合に、隣接するトラックの重なる領域におけるビームの強度を概略的に示したものである。
【図９】本発明の１つの実施形態により、２つのトラック間の重なる領域にわたる強度の代替階段状変動を示したものである。
【図１０】本発明の１つの実施形態により、図８または図９で示した強度の変動を生成することができる吸収デバイスの４つの代替位置を概略的に示したものである。
【図１１】本発明の実施形態により、制御可能な反射性要素を使用して、ビームの一部分の強度を調節する方法を概略的に示したものである。
【図１２】本発明の実施形態により、制御可能な反射性要素を使用して、ビームの一部分の強度を調節する方法を概略的に示したものである。
【図１３】本発明の１つの実施形態により、それぞれが基板上の重なるトラックを露光するように位置決めされたマイクロレンズアレイを組み込んだ３つの光列の配置構成を概略的に示したものである。
【図１４】本発明の１つの実施形態により、基板上の重なるトラックを露光するように配置構成された２つのマイクロレンズアレイに個々のレンズを配置することを概略的に示したものである。
【図１５】本発明の１つの実施形態により異なる光列によって生成された重なるトラックの図である。
【図１６】本発明の１つの実施形態により、レンズのアレイにあるレンズの隣接列によって生成された重なるトラックの図である。
【符号の説明】
【００９２】
１  コントラストデバイス
２  ２次元アレイ
３  ビーム分割器
４  照明ソース４
５  放射線ビーム
６，７，８  レンズ
９  マイクロレンズアレイ
１０  基板
１１  基板テーブル
１２  投影光学系
１３  基板テーブルの移動方向
１６  スポット
１７  基板
１８  基板テーブル
１９  基板の移動方向
２０  ブリッジ
２１  光列
２２  フットプリント
２３  トラック
２４，２５，２６，２７  線
２８，２９  重なり区区域
３０，３１，３２，３３  吸収デバイス
３４  レンズ
３５  光の強度分布
３６  開口プレート
３７  中心軸線
３９  線
４０  走査方向
４１  フットプリント
４３，４４  線
４５  フットプリント
４６，４７  線
４８  光列
４９  マイクロレンズアレイ
５０  レンズ
５１  照明スポット
５２  基板に対するマイクロレンズアレイの移動方向
５３  マイクロレンズアレイ
５４  レンズ
５５  スペース（トラック）
５６  レンズ
５７  スペース（トラック）
５８  レンズ
５９  スペース（トラック）
６０，６１，６２  レンズ
６３，６４レンズ
ｃ１，ｃ２，ｃ３，ｃ４  レンズ
ｒ１〜ｒ１３  レンズ
６５  走査方向
６６〜６９  線
７０  レンズアレイ
７１  走査方向
７２，７３  線
７４  最大強度
【図１】
2006133784.tif 000003
【図２】
2006133784.tif 000004
【図３】
2006133784.tif 000005
【図４】
2006133784.tif 000006
【図５】
2006133784.tif 000007
【図６】
2006133784.tif 000008
【図７】
2006133784.tif 000009
【図８】
2006133784.tif 000010
【図９】
2006133784.tif 000011
【図１０】
2006133784.tif 000012
【図１１】
2006133784.tif 000013
【図１２】
2006133784.tif 000014
【図１３】
2006133784.tif 000015
【図１４】
2006133784.tif 000016
【図１５】
2006133784.tif 000017
【図１６】
2006133784.tif 000018